(57)【要約】【課題】電気泳動層の剥離に起因する表示劣化を阻止することのできる電気泳動表示装置及びその製造方法、電子機器を提供する。【解決手段】本発明の電気泳動表示装置１は、電気泳動層３１及び接着層３３を有する電気泳動シート３と、接着剤により電気泳動シート３が貼り合わされる素子基板２と、電気泳動シート３の素子基板２とは反対側に配置される表面保護基板４と、電気泳動層３１の周りを囲うようにして素子基板２及び表面保護基板４との間に配置されるとともにこれら基板２，４同士の間で電気泳動シート３を封止する封止材６と、を備え、素子基板２と電気泳動シート３との間に、封止材６の近傍における接着層３３の厚みを他の部位よりも小さくする画素電極２５Ａが設けられている。【選択図】図２
2011028114.tif 000002
【特許請求の範囲】
【請求項１】
電気泳動層及び接着層を有する電気泳動シートと、
前記接着層により前記電気泳動シートが貼り合わされる第１基板と、
前記電気泳動シートの前記第１基板とは反対側に配置される第２基板と、
前記電気泳動層の周りを囲うようにして前記第１基板及び前記第２基板との間に配置されるとともにこれら基板同士の間で前記電気泳動シートを封止する封止材と、を備え、
前記第１基板と前記電気泳動シートとの間に、少なくとも前記封止材の近傍における前記接着層の厚みを他の部位よりも小さくする層厚変化部材が設けられていることを特徴とする電気泳動表示装置。
【請求項２】
前記第１基板上に複数の前記画素電極が配列されており、
前記層厚変化部材が、他の画素電極よりも厚く形成された画素電極からなること
を特徴とする請求項１記載の電気泳動表示装置。
【請求項３】
前記層厚変化部材が、前記第１基板上に配列された複数の前記画素電極よりも厚く形成されたダミー電極からなること
を特徴とする請求項１記載の電気泳動表示装置。
【請求項４】
前記層厚変化部材が導電性を有する粒子からなり、
前記第１基板上に設けられた複数の画素電極のうち、少なくとも前記封止材の近傍に配置された画素電極上に前記粒子が配置されていること
を特徴とする請求項１記載の電気泳動表示装置。
【請求項５】
前記粒子が、弾性を有するコア部と、該コア部の表面に設けられた導電膜とを有する粒子であることを特徴とする請求項４記載の電気泳動表示装置。
【請求項６】
前記層厚変化部材が樹脂粒子からなり、
前記樹脂粒子が、前記第１基板上に設けられたダミー電極上に配置されている
ことを特徴とする請求項１記載の電気泳動表示装置。
【請求項７】
前記層厚変化部材が、前記接着層を厚さ方向に圧縮させる応力を与えること
を特徴とする請求項１ないし６のいずれか一項に記載の電気泳動表示装置。
【請求項８】
第１基板上に層厚変化部材を設ける工程と、
電気泳動層及び接着層を有した電気泳動シートを前記第１基板上に貼り合わせる工程と、
前記電気泳動シートの前記第１基板とは反対側に第２基板を配置する工程と、
前記電気泳動層の周りを囲うようにして前記第１基板及び前記第２基板との間に封止材を形成する工程と、を有し、
前記電気泳動シートを前記第１基板に貼り合わせる際、前記層厚変化部材により少なくとも前記封止材近傍となる前記接着層の厚さを部分的に圧縮すること
を特徴とする電気泳動表示装置の製造方法。
【請求項９】
第１基板上に層厚変化部材を設ける工程において、
前記第１基板上に設ける複数の画素電極のうち、少なくとも前記封止材近傍の画素電極を他の画素電極の厚さよりも厚く形成することを特徴とする請求項８記載の電気泳動表示装置の製造方法。
【請求項１０】
第１基板上に層厚変化部材を設ける工程において、
前記封止材の近傍の前記第１基板上に、画素電極よりも厚さを有するダミー電極を形成することを特徴とする請求項８記載の電気泳動表示装置の製造方法。
【請求項１１】
第１基板上に層厚変化部材を設ける工程において、
前記第１基板上に設ける複数の画素電極のうち、少なくとも前記封止材の近傍の画素電極上に導電性を有する粒子を配置することを特徴とする請求項８記載の電気泳動表示装置の製造方法。
【請求項１２】
第１基板上に層厚変化部材を設ける工程において、
前記封止材の近傍の前記第１基板上に形成されたダミー電極上に、導電性を有する粒子を配置することを特徴とする請求項８記載の電気泳動表示装置の製造方法。
【請求項１３】
請求項１から７記載の電気泳動表示装置を備えたことを特徴とする電子機器。
【発明の詳細な説明】
【技術分野】
【０００１】
本発明は、電気泳動表示装置及びその製造方法、電子機器に関するものである。
【背景技術】
【０００２】
電気泳動表示装置は、ＴＦＴ素子など電気回路を形成した基板（以下、素子基板）と、透明性導電膜（共通電極）を有する透明シート、複数のマイクロカプセルからなる電気泳動層および接着層を有する電気泳動シートと、を貼り合わせることで構成される電気泳動表示パネルを備えている（例えば、特許文献１）。
【０００３】
このような電気泳動表示パネルは、その表面側に貼り合わされた表面保護基板と素子基板との間が樹脂封止されることによって、電気泳動層に対する防湿性を確保した構造となっている。
【先行技術文献】
【特許文献】
【０００４】
【特許文献１】特開２００５−１１４８２２号公報
【発明の概要】
【発明が解決しようとする課題】
【０００５】
しかしながら上記構造の場合、封止に用いる樹脂材料を冷却硬化させる際や、電気泳動表示装置に対する耐環境試験、衝撃試験において、樹脂材料の硬化収縮、熱収縮等によって、素子基板上に貼り合わされた電気泳動シートの接着層と素子基板の境界面で剥離が生じることがある。つまり、樹脂材料が硬化収縮や熱収縮することによって、樹脂材料が接触している両基板の周縁部同士が引き寄せられる一方、基板の中央部分では基板同士が離れる方向に力が作用する。このため、柔軟性のある電気泳動層と接着層との間で面剥離が生じてしまう。このような剥離に起因する表示劣化が問題となっている。
【０００６】
本発明は、上記従来技術の問題点に鑑み成されたものであって、製造時や品質試験時における電気泳動層と接着層との間の剥離を防止して、このような剥離に起因する表示劣化を阻止することのできる電気泳動表示装置及びその製造方法、電子機器を提供することを目的の一つとしている。
【課題を解決するための手段】
【０００７】
本発明の電気泳動表示装置は、上記課題を解決するために、電気泳動層及び接着層を有する電気泳動シートと、前記接着層により前記電気泳動シートが貼り合わされる第１基板と、前記電気泳動シートの前記第１基板とは反対側に配置される第２基板と、前記電気泳動層の周りを囲うようにして前記第１基板及び前記第２基板との間に配置されるとともにこれら基板同士の間で前記電気泳動シートを封止する封止材と、を備え、前記第１基板と前記電気泳動シートとの間に、少なくとも前記封止材の近傍における前記接着層の厚みを他の部位よりも小さくする層厚変化部材が設けられていることを特徴とする。
【０００８】
本発明によれば、層厚変化部材により、少なくとも封止部材近傍の接着層の厚みを小さくすることとしたので、接着層の変位量を部分的に大きくすることができる。これにより、例えば、電気泳動表示装置の使用環境や品質試験において封止材の硬化収縮や熱収縮等が生じて基板同士が広がるように変形した場合でも、層厚変化部材によって厚みが小さくされていた接着層が膨張することによって、封止材近傍における各部材同士の界面剥離を防止することができる。本発明においては、特に、電気泳動シートの電気泳動層と接着層との界面剥離を防止することが可能である。したがって、このような剥離に起因する表示劣化を防ぐことができ、良好な表示画像が得られる。
【０００９】
また、前記第１基板上に複数の前記画素電極が配列されており、前記層厚変化部材が、他の画素電極よりも厚く形成された画素電極からなることが好ましい。
【００１０】
本発明によれば、層厚変化部材が、第１基板上に配列された複数の画素電極のうち、他の画素電極よりも厚く形成された画素電極からなることから、別部材を追加することなく、従来の構成部材を用いて上記剥離を防止することが可能である。これにより、部材の追加に伴うコスト増加を防止することができる。
【００１１】
また、前記層厚変化部材が、前記第１基板上に配列された複数の前記画素電極よりも厚く形成されたダミー電極からなることが好ましい。
【００１２】
本発明によれば、層厚変化部材が、第１基板上に配列された複数の画素電極よりも厚く形成されたダミー電極からなることから、表示に寄与しない部分おいて上記剥離を防止することができるため、透明性を有する材料以外の材料で層厚変化部材を形成することが可能である。
【００１３】
また、前記層厚変化部材が導電性を有する粒子からなり、前記第１基板上に設けられた複数の画素電極のうち、少なくとも前記封止材の近傍に配置された画素電極上に前記粒子が配置されていることが好ましい。
【００１４】
本発明によれば、第１基板上に設けられた複数の画素電極のうち封止材の近傍に配置された画素電極上に、層厚変化部材である導電性を有する粒子が配置されていることとしたので、必要な箇所に必要な数の粒子を装置の構成に応じて配置することができる。このため、設計変更が不要であることから、設計変更に伴うコスト増加を防止することができる。また、粒子は別途製造が可能なため、様々な装置構成に対応することができる。
【００１５】
また、前記粒子が、弾性を有するコア部と、該コア部の表面に設けられた導電膜とを有する粒子であることが好ましい。
本発明によれば、弾性を有するコア部と、該コア部の表面に設けられた導電膜とを有する粒子は、弾性及び導電性を兼ね備えていることから、電気泳動シートと素子基板との間でリークを生じさせることなく、部材同士の剥離を防止することが可能である。
【００１６】
また、前記層厚変化部材が樹脂粒子からなり、前記樹脂粒子が、前記第１基板上に設けられたダミー電極上に配置されていることが好ましい。
本発明によれば、粒子が第１基板上に設けられたダミー電極上に配置されていることから、透光性を有する材料以外の材料により粒子を形成することができる。
【００１７】
また、前記層厚変化部材が、前記接着層を厚さ方向に圧縮させる応力を与えることが好ましい。
本発明によれば、剥離が生じやすい部分の接着層の厚さを他の部分よりも小さくしておくことにより、接着層の変位量を部分的に大きくすることができる。これにより、第１基板及び第２基板同士が離れる方向に変形した場合であってもその変形を許容することができるので、電気泳動シートの層間剥離を防止することができる。
【００１８】
本発明の電気泳動表示装置の製造方法は、上記課題を解決するために、また、第１基板上に層厚変化部材を設ける工程と、電気泳動層及び接着層を有した電気泳動シートを前記第１基板上に貼り合わせる工程と、前記電気泳動シートの前記第１基板とは反対側に第２基板を配置する工程と、前記電気泳動層の周りを囲うようにして前記第１基板及び前記第２基板との間に封止材を形成する工程と、を有し、前記電気泳動シートを前記第１基板に貼り合わせる際、前記層厚変化部材により少なくとも前記封止材近傍となる前記接着層の厚さを部分的に圧縮することを特徴とする。
【００１９】
本発明によれば、電気泳動シートを第１基板に貼り合わせる際、層厚変化部材により少なくとも封止材近傍となる接着層の厚みを圧縮することとしたので、接着層の変位量を部分的に大きくすることができる。これにより、電気泳動表示装置の使用環境や品質試験において封止材の硬化収縮や熱収縮等が生じて基板同士が広がるように変形した場合でも、層厚変化部材によって厚みが小さくされていた接着層が膨張することにより、封止材近傍における各部材同士の界面剥離を防止することができる。本発明においては、特に、電気泳動シートの電気泳動層と接着層との界面剥離を防止することが可能である。したがって、このような剥離に起因する表示劣化を防ぐことができ、良好な表示特性が得られる。
【００２０】
また、第１基板上に層厚変化部材を設ける工程において、前記第１基板上に設ける複数の画素電極のうち、少なくとも前記封止材近傍の画素電極を他の画素電極の厚さよりも厚く形成することが好ましい。
【００２１】
本発明によれば、層厚変化部材が、第１基板上に配列された複数の画素電極のうち、封止材の近傍であるとともに他の画素電極よりも厚く形成された画素電極からなることから、別部材を追加することなく、従来の構成部材を用いて上記剥離を防止することが可能である。これにより、部材追加によるコスト増加を防止することができる。
【００２２】
また、第１基板上に層厚変化部材を設ける工程において、前記封止材の近傍の前記第１基板上に、画素電極よりも厚さを有するダミー電極を形成することが好ましい。
本発明によれば、表示に寄与しない部分おいて上記剥離を防止することができることから、透明性を有する材料以外の材料で層厚変化部材を形成することが可能である。
【００２３】
また、第１基板上に層厚変化部材を設ける工程において、前記第１基板上に設ける複数の画素電極のうち、少なくとも前記封止材の近傍の画素電極上に導電性を有する粒子を配置することが好ましい。
【００２４】
本発明によれば、第１基板上に設けられた複数の画素電極のうち封止材の近傍に配置された画素電極上に、層厚変化部材である導電性を有する粒子を配置することとしたので、必要な箇所に必要な数の粒子を装置の構成に応じて配置することができる。このため、設計変更が不要であることから、設計変更に伴うコスト増加を防止することができる。また、粒子は別途用意しておくことが可能なため、様々な装置構成に対応することができる。
【００２５】
また、第１基板上に層厚変化部材を設ける工程において、前記封止材の近傍の前記第１基板上に形成されたダミー電極上に、導電性を有する粒子を配置することが好ましい。
本発明によれば、透光性を有する材料以外の材料で粒子を形成することができる。
【００２６】
本発明の電子機器は、上記電気泳動表示装置を備えたことを特徴とする。
本発明によれば、電気泳動シートの層間剥離を防ぐことにより表示劣化を防止した電気泳動表示装置を備えたことから、高品位な電子機器が得られる。
【図面の簡単な説明】
【００２７】
【図１】第１実施形態の電気泳動表示装置の全体構成を示す平面図。
【図２】図１のＡ−Ａ断面に沿った構成を示す断面図。
【図３】電気泳動表示装置の部分断面拡大図。
【図４】第１実施形態の電気泳動表示装置の製造工程について示すフローチャート。
【図５】電気泳動表示装置の製造工程について示す断面模式図。
【図６】電気泳動表示装置の製造工程について示す断面模式図。
【図７】電気泳動表示装置の製造工程について示す断面模式図。
【図８】第２実施形態の電気泳動表示装置の全体構成を示す断面図。
【図９】第３実施形態の電気泳動表示装置の全体構成を示す断面図。
【図１０】第４実施形態の電気泳動表示装置の全体構成を示す断面図。
【図１１】電子機器の一例である時計を示す図。
【図１２】電子機器の一例である電子ペーパーを示す図。
【図１３】電子機器の一例である電子ノートを示す図。
【発明を実施するための形態】
【００２８】
以下、本発明の実施形態につき、図面を参照して説明する。なお、以下の説明に用いる各図面では、各部材を認識可能な大きさとするため、各部材の縮尺を適宜変更している。
【００２９】
（第１実施形態）
図１は、本発明の第１実施形態である電気泳動表示装置の全体構成を示す平面図である。図２は、第１実施形態の電気泳動表示装置におけるＡ−Ａ断面に沿った構成を示す断面図である。
図１及び図２に示すように、電気泳動表示装置１は、電気泳動表示パネル１０、表面保護基板（第２基板）４、接続基板５および封止材６を備えている。電気泳動表示装置１は、素子基板（第１基板）２上に電気泳動シート３が貼り付けられた構成になっている。また、電気泳動シート３の透明シート３０上には表面保護基板４が配置されており、素子基板２のうち電気泳動シート３と反対側には接続基板５が配置されている。そして、素子基板２および表面保護基板４の間に電気泳動層３１の回りを囲むようにして封止材６が配置されている。
【００３０】
電気泳動表示装置１は、平面視で画素電極２５の配列された領域が表示領域７となっている。表示領域７では、平面視における各画素電極２５の形成領域が画素領域となっており、画素領域毎に静止画や動画等の画像が表示されるようになっている。表示領域７の周囲は、画像が表示されない非表示領域８となっている。
【００３１】
素子基板２は、基材２０、駆動層２１、駆動回路素子２２，２３及び端子２７を有している。基材２０は、例えば３０μｍ〜１００μｍ程度の厚さを有する板状部材である。基材２０の構成材料としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などが挙げられる。
【００３２】
駆動層２１は、基材２０の内面２０ａのうち平面視で電気泳動シート３と重なる領域に設けられた層である。平面的な駆動層２１の形成領域は、表示領域７と略一致しており、駆動回路素子２２及び２３はこの駆動層２１の周縁部（非表示領域８）に設けられている。これら駆動回路素子２２及び２３はデータ線や走査線に電気的に接続されており、駆動層２１に信号を供給するようになっている。
【００３３】
駆動層２１は、絶縁層２４、複数の画素電極２５及び複数のスイッチング素子２６を有している。画素電極２５は、平面視で例えばマトリクス状に配列された電極である。スイッチング素子２６は、画素電極２５毎に設けられた素子である。スイッチング素子２６には、不図示のデータ線及び走査線などが接続されている。絶縁層２４は、これら各部を覆うように基材２０上に形成されている。
【００３４】
本実施形態では、素子基板２と電気泳動シート３との間に、封止材６の近傍における接着層３３の厚みを他の部位よりも小さくする層厚変化部材が設けられている。
図３に示すように、素子基板２上に設けられた複数の画素電極２５のうち表示領域７の周縁部に配置された画素電極２５Ａは、その厚さｔ１が他の画素電極２５Ｂの厚さｔ２よりも厚くなるように形成されている。画素電極２５Ａは、画素電極２５Ｂとともにパターン形成された下地電極上に、スパッタ法、ＣＶＤ法、めっき等により導電材料を積層させることで厚膜化したものである。この画素電極２５Ａが、上述した層厚変化部材として機能する。
【００３５】
端子２７は、基材２０の内面２０ａ上のうち平面視で電気泳動シート３から外れた領域に設けられている。端子２７は、素子基板２の一辺に沿って複数配列されている。端子２７には不図示の配線群が接続されている。当該配線群は、例えば上記走査線やデータ線などに接続されている。
【００３６】
電気泳動シート３は、透明シート３０、共通電極３５、電気泳動層３１及び接着層３３を有している。
透明シート３０は電気泳動層３１を保持する、光透過性を有するシートであり、２５μｍ〜２００μｍ程度の厚さを有している。透明シート３０の構成材料としては、例えばポリエチレンテレフタレート（ＰＥＴ）、ポリエーテルスルホン（ＰＥＳ）、ポリカーボネイト（ＰＣ）など光透過性の高い材料などが挙げられる。例えば透明シート３０の表面３０ａには、不図示の防湿シートなどが配置されていても構わない。
【００３７】
共通電極３５は例えばＩＴＯなどの光透過性の高い導電材料で構成された電極である。
共通電極３５は透明シート３０の内面３０ｂのほぼ全面に亘って形成されている。共通電極３５には上下導通材９が接続されている。上下導通材９は素子基板２に電気的に接続されている。共通電極３５は、上下導通材９を介して素子基板２に電気的に接続された状態になっている。
【００３８】
電気泳動層３１は、複数のマイクロカプセル３２を有している。
マイクロカプセル３２は電気泳動分散液が封入された略球状のカプセルであり、各カプセルの直径はほぼ同一（３０μｍ〜１００μｍ）になっている。マイクロカプセル３２のカプセル壁膜を構成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液相分散媒とからなる。
【００３９】
液相分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、又はこれらの混合物に界面活性剤等を配合したものを用いることができる。
【００４０】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００４１】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００４２】
接着層３３は、バインダを兼ねた接着剤である。接着層３３としては、例えばマイクロカプセル３２のカプセル壁膜に対する親和性が良好で、画素電極２５に対する接着性に優れた接着剤を用いることが好ましい。
【００４３】
上記構成の電気泳動シート３が、接着層３３を介して素子基板２の内面２０ａ上に貼り合わされることで電気泳動表示パネル１０が構成されることになる。本実施形態では、図３に示すように、接着層３３の周縁部が画素電極２５Ａによって圧縮された状態となっており、その厚みｔ３が中央部の厚みｔ４よりも薄くなっている。なお、接着層３３の厚さが部分的に薄くなってはいるものの各部材を接着させておくために十分な接着力を有している。
【００４４】
表面保護基板４は、透明シート３０の表面３０ａ上に接着層３６を介して配置された基板である。表面保護基板４の構成材料としては、光透過性が高く、平坦度が優れ、キズつきにくい材料、例えばアクリル樹脂などが挙げられる。アクリル樹脂の他には、例えばガラスなどが適している。具体的には、無機ガラスや、クリスタルガラス、サファイヤガラスや、アクリルガラスなどを用いることができる。表面保護基板４は、素子基板２及び透明シート３０とともに電気泳動層３１を覆う構成になっており、当該構成によって電気泳動層３１に水分の浸入がより確実に防止されるようになっている。
【００４５】
接続基板５は、基材５０及び端子５１を有している。接続基板５は、素子基板２の基材２０の外面２０ｂ上に配置された矩形状の板状部材であり、平面視で表面保護基板４に重なる位置に設けられている。図１および図２に示すように、接続基板５は、電気泳動表示パネル１０の外周側に貼り出すとともに、表面保護基板４の外周側に部分的に貼り出す大きさで形成されている。端子５１は、電気泳動表示パネル１０の外側に部分的に張り出した領域に設けられており、電気泳動表示パネル１０側の端子２７とワイヤー１１１を介して電気的に接続されている。また、接続基板５は、電気泳動表示パネル１０を支持する支持基板としての機能も有する。
【００４６】
封止材６は、電気泳動層３１を封止する部分であって、電気泳動表示パネル１０の素子基板２と表面保護基板の周縁部同士の間に配置され、電気泳動層３１の周方向を囲うようにして形成されている。封止材６の材料としては、例えばエポキシ樹脂などの樹脂材料が挙げられる。
【００４７】
（電気泳動表示装置の動作）
次に、上記のように構成された電気泳動表示装置１の動作を簡単に説明する。
画素電極２５と共通電極３５との間に共通電極３５の電圧が相対的に高くなるように電圧を印加すると、正に帯電された黒色の電気泳動粒子はクーロン力によってマイクロカプセル３２内のうち画素電極２５側に引き寄せられる。一方、負に帯電された白色の電気泳動粒子はクーロン力によってマイクロカプセル３２内の共通電極３５側に引き寄せられる。この結果、マイクロカプセル３２内の透明シート３０側には白色の電気泳動粒子が集まることになり、電気泳動表示装置１の表示領域７にはこの白色の電気泳動粒子の色（白色）が表示されることとなる。
【００４８】
逆に、画素電極２５と共通電極３５との間に画素電極２５の電位が相対的に高くなるように電圧を印加すると、負に帯電された白色の電気泳動粒子はクーロン力によって画素電極２５側に引き寄せられる。一方、正に帯電された黒色の電気泳動粒子はクーロン力によって共通電極３５側に引き寄せられる。この結果、マイクロカプセル３２内の透明シート３０側には黒色の電気泳動粒子が集まることになり、電気泳動表示装置１の表示領域７には黒色の電気泳動粒子の色（黒色）が表示されることとなる。
【００４９】
（製造方法）
次に、上記構成の電気泳動表示装置１の製造方法について述べる。
電気泳動表示装置１を製造する際には、大型の基板を用いてまず複数の電気泳動表示パネルの集合体を形成し、当該集合体を切断することによって複数の電気泳動表示装置１に個片化する、所謂多面取りと呼ばれる手法が用いられる。
【００５０】
図４は、電気泳動表示装置の製造工程について示すフローチャート、図５〜図７は、電気泳動表示装置の製造工程について示す断面模式図である。なお、図５〜図７においては、特定のパネル領域Ｐに着目しているが、その他のパネル領域Ｐにおいても同様のプロセスが同時に行われている。
【００５１】
電気泳動表示装置１の集合体を形成する際、素子基板２の集合体であるマザーガラス基板１１０の各パネル領域Ｐに電気泳動シート３を貼り付けるようにする。電気泳動シート３を有した個々のパネル領域Ｐがそれぞれ電気泳動表示装置１となる。
ここでは、電気泳動表示装置１に設けられる寸法に切断された状態の電気泳動シート３を用いる。よって、電気泳動シート３については予め形成しておく必要がある。電気泳動シート３は、大判の透明シート上の略全面に電気泳動層及び接着層が形成されたマザーシートを所望の大きさに切断することによって形成される。
【００５２】
本実施形態の電気泳動表示装置の製造方法は、図４に示すように、駆動層形成工程Ｓ１と、接続基板接合工程Ｓ２と、電気泳動シート貼付工程Ｓ３と、表面保護基板接合工程Ｓ４と、封止材形成工程Ｓ５と、を備えている。なお、ここで示した製造工程順は一例であって適宜順番を変更しても構わない。
【００５３】
駆動層形成工程Ｓ１では、まず、図５（ａ）に示すように、マザーガラス基板１１０の表面１１０ａに複数のパネル領域Ｐを設定し、各パネル領域Ｐのうち表示領域７内に、絶縁層２４、スイッチング素子２６などを形成し、非表示領域８には上記の駆動回路素子や端子２７、配線などを形成する。
【００５４】
次に、画素電極２５を形成する。
まず、表示領域７の絶縁層２４上にＡｌやＣｕなどの金属膜６０を所定の膜厚で成膜した後、金属膜６０上に電極形状に沿ったマスクパターン５８を形成する（図５（ａ））。そして、このマスクパターン５８を介して金属膜６０をパターニングすることによって、表示領域７内に、図５（ｂ）に示すような複数の画素電極２５Ｂおよび下地電極２５ａを形成する。
次に、図５（ｃ）に示すように、これら複数の電極のうち表示領域７の周縁部に形成された下地電極２５ａを露出させるようにしてマスクパターン５９を形成する。
【００５５】
その後、図５（ｄ）に示すように、露出している下地電極２５ａの表面に、スパッタ法、ＣＶＤ法、めっき等によってＡｌやＣｕなどの導電材料を積層させることによって厚膜化し、画素電極２５Ｂよりも厚みのある画素電極２５Ａを形成する。このようにして、図６（ａ）に示すように、各表示領域７内に膜厚の異なる複数の画素電極２５（２５Ａ，２５Ｂ）を形成する。
【００５６】
次に、接続基板接合工程Ｓ２において、図６（ｂ）に示すように、不図示の粘着テープなどを介してマザー接続基板１２０をマザーガラス基板１１０の裏面１１０ｂに貼り付ける。マザー接続基板１２０の端子５１がマザーガラス基板１１０の外側に露出するように位置合わせをして貼り付けるようにする。マザー接続基板１２０を貼り付けた後、しかるべき時に、マザーガラス基板１１０の端子２７とマザー接続基板１２０の端子５１との間をワイヤー１１１によって接続する。
【００５７】
次に、電気泳動シート貼付工程Ｓ３において、まず図６（ｂ）に示すように、予め用意しておいた電気泳動シート３を接着層３３側と駆動層２１に対向させるようにしてマザーガラス基板１１０上に配置する。このとき、電気泳動シート３の接着層３３の厚みは均一になっている。
そして、図６（ｃ）に示すように、各パネル領域Ｐの表示領域７に電気泳動シート３をそれぞれ貼り付ける。画素電極２５Ａ，２５Ｂの上方側からこれら画素電極２５Ａ，２５Ｂに電気泳動シート３の接着層３３を接触させるようにして、素子基板２上に電気泳動シート３を貼り合わせる。電気泳動シート３を貼り付けた後、プレス加工によって各部材同士を加圧接着させる。
【００５８】
このとき、画素電極２５Ａに接触している電気泳動シート３の周縁部の接着層３３を厚さ方向に圧縮させるように加圧されるので、貼り合わせ後は、図７（ａ）に示すように、接着層３３の周縁部の厚さが他の部位よりも小さく（薄く）なる。
上述したように、表示領域７の周縁部には中央部の画素電極２５Ｂよりも厚さを有した画素電極２５Ａが設けられている。このため、表面保護基板４側からの押圧によって、画素電極２５Ａに接触する電気泳動シート３の接着層３３の周縁部が圧縮された状態となり、中央部よりも薄くなる。
なお、電気泳動シート３の視認側すなわち透明シート３０の表面３０ａは平坦面となる。
【００５９】
次に、表面保護基板接合工程Ｓ４において、図７（ｂ）に示すように、電気泳動シート３上に接着層３３を介してマザー保護基板１４０を貼り合わせる。
【００６０】
次に、封止材形成工程Ｓ５において、図７（ｃ）に示すように、マザーガラス基板１１０とマザー保護基板１４０との間に封止材６１を形成する。ここでは、エポキシ樹脂などを溶解させ、この溶解させたエポキシ樹脂をマザーガラス基板１１０とマザー保護基板１４０との間の毛細管力によって行き渡らせることで樹脂を注入する。
【００６１】
次に、溶解されている樹脂を乾燥させて固化させる。樹脂を固化することによって樹脂に接触しているマザーガラス基板１１０とマザー保護基板１４０とが貼り合わされた状態で固定されることになる。このようにして封止材６１が形成される。
次に、例えばダイシングブレード（不図示）などの切削部材によってマザー保護基板１４０、マザーガラス基板１１０、マザー接続基板１２０、封止材６１を切断する。これらの切断後、個々の電気泳動表示装置１を得る。
【００６２】
以上述べた製造方法では、マザーガラス基板１１０上に画素電極２５を形成する際、表示領域７の周縁部に対向する画素電極２５（２５Ａ）が、他の部位の画素電極２５（２５Ｂ）の厚さよりも厚く形成されている。このため、表示領域７に電気泳動シート３を貼り合わせる際に、画素電極２５Ａによって封止材６近傍の接着層３３の厚さが部分的に圧縮された状態になる。つまり、画素電極２５Ａによって接着層３３の厚さ方向に圧縮させる応力を与えることとしたので、接着層３３の変位量を部分的に大きくすることが可能である。
【００６３】
これにより、耐環境試験、衝撃試験を実施した際に、接着層３３の硬化収縮や熱収縮等により封止材６に接触する素子基板２および表面保護基板４の周縁部が引き寄せられる一方、中央部分が広がるように作用した場合でも、圧縮された接着層３３の一部が基板２，４同士の変形に応じて膨張することによって基板同士の変形を許容することが可能となる。
【００６４】
よって、電気泳動シート３の電気泳動層３１と接着層３３との界面剥離を防止することができ、このような剥離に起因する表示劣化を防ぐことができる。これにより、温度変化の激しい使用環境においても良好な表示画像が得られる。
【００６５】
また、本実施形態では、素子基板２上に配列された複数の画素電極２５のうち、封止材６近傍の画素電極２５Ａ、すなわち、電気泳動シート３の周縁部に対向する画素電極２５Ａを他の画素電極２５Ｂ厚く形成することで、接着層３３を部分的に圧縮させてその部分の厚さを小さく（薄く）する層厚変化部材として機能させていることから、別部材を追加することなく、従来の構成部材を用いて上記剥離を防止することが可能である。これにより、部材追加にともなうコストの増加を防止することができる。
【００６６】
以下に示す各実施形態の電気泳動表示装置の基本構成は、上記第１実施形態と略同様であるが、電気泳動パネルの構成において異なる。よって、以下の説明では、電気泳動パネルについて詳しく説明し、共通な箇所の説明は省略する。また、説明に用いる各図面において、図１〜図７と共通の構成要素には同一の符号を付すものとする。
【００６７】
（第２実施形態）
次に、本発明の第２実施形態について図８を用いて説明する。図８は、第２実施形態の電気泳動表示装置の全体構成を示す断面図である。
本実施形態では、図８に示すように、画素電極２５よりも厚く形成されたダミー電極７１が非表示領域８に形成されている。電気泳動シート３は、表示領域７だけでなく非表示領域８の一部を覆う大きさを有しており、電気泳動シート３に設けられた接着層３３の周縁部が、上記ダミー電極７１によって圧縮された状態となっている。すなわち、封止材６近傍における接着層３３の厚みが他の部位よりも小さく（薄く）なっている。
【００６８】
本実施形態の電気泳動表示装置を製造する場合には、表示領域７に画素電極２５、非表示領域８に下地電極を同時にパターン形成した後、下地電極に対して厚膜化処理を施すことによって、本実施形態のダミー電極７１を形成する。その後、ダミー電極７１の上方側からこのダミー電極７１に接着層３３を接触させるようにして素子基板２上に電気泳動シート３を貼り合わせる。このとき、素子基板２上に形成されたダミー電極７１によって電気泳動シート３の周縁部にあたる接着層３３を厚さ方向に圧縮させるように加圧接着を行う。なお、本実施形態における電気泳動シート３は、その周縁部が非表示領域８にまで及ぶ大きさとされている。
【００６９】
本実施形態によれば、層厚変化部材が、素子基板２上に配列された複数の画素電極２５よりも厚く形成されたダミー電極７１からなることから、表示に寄与しない部分おいて、上記電気泳動シート３の電気泳動層３１と接着層３３との界面において剥離が生じるのを防止することができる。このため、透明性を有する材料以外の材料で層厚変化部材を形成することが可能となる。
【００７０】
なお、図８においては、電気泳動表示パネル１０の各辺に一列ずつダミー電極７１を設けたが、複数列設けても良い。
【００７１】
（第３実施形態）
次に、本発明の第３実施形態について図９を用いて説明する。図９は、第３実施形態の電気泳動表示装置の全体構成を示す断面図である。
本実施形態では、図９（ａ）に示すように、電気泳動表示パネル１０の素子基板２と電気泳動シート３との間に導電性を有する粒子７２が設けられている。粒子７２は、表示領域７の周縁部に位置する画素電極２５上に複数設けられており、封止材６近傍の接着層３３の厚みを他の部位よりも小さく（薄く）している。
【００７２】
図９（ｂ）に示すように、粒子７２は、弾性を有するコア部７２ａと、コア部７２ａの表面に設けられた導電膜７２ｂとからなる樹脂コア構造の粒子である。このような粒子７２は、表示領域７内に配置されることから透光性を有する構成となっていることが好ましい。例えば、コア部７２ａをエポキシ樹脂などの透明性樹脂材料を用いて形成し、導電膜７２ｂをＩＴＯなどの透明性金属材料を用いて形成する。これにより、素子基板２上に分散された粒子７２によって表示精度が低下することもなくなる。
【００７３】
粒子７２は、図９（ｂ）に示すように装置内に配置される前の状態では略球状を呈しているが、装置完成後は、図９（ａ）に示すように粒子７２自体も圧縮された状態となっている。
【００７４】
本実施形態の電気泳動表示装置１を製造する場合には、素子基板２上に電気泳動シート３を貼り合わせる前に、表示領域７の周縁部の画素電極２５上に複数の粒子７２を分散させておく。その後、粒子７２の上方側からこれら粒子７２に接着層３３を接触させるようにして素子基板２上に電気泳動シート３を貼り合わせる。このとき、素子基板２上に分散された粒子７２によって電気泳動シート３の周縁部にあたる接着層３３を厚さ方向に圧縮させるように加圧接着を行う。
【００７５】
本実施形態によれば、素子基板２と電気泳動シート３との界面に樹脂コア構造の粒子７２を配置することによって、封止材６近傍の接着層３３の周縁部が部分的に圧縮された状態で装置が完成する。このようにして接着層３３の変位量を部分的に大きくしておくことにより、熱衝撃試験下において、粒子７２によって圧縮されていた接着層３３が膨張することで電気泳動シート３の層間剥離を防止することが可能となる。したがって、上記剥離に起因する表示劣化を阻止することができる。
【００７６】
また、粒子７２を別途製造しておくことができ、パネル形成時においては必要な箇所に必要な数の粒子７２を配置すればよいだけなので、製造が容易で製造時間を短縮することができる。また、電気的に異方性のある粒子７２であることから、素子基板２と電気泳動シート３との間で電気的なリークが生じることもない。
このように、弾性及び導電性を兼ね備えた粒子７２によって、表示を劣化させることなく接着層３３を部分的に圧縮させることができ、性能試験時において素子基板２と電気泳動シート３との剥離を防止することが可能となる。
【００７７】
なお、本実施形態では、素子基板２と電気泳動シート３との間において表示領域７の周縁部に粒子７２を配置することとしたが、電気泳動シート３が貼り付けられる表示領域７全体に複数の粒子７２を分散させてもよい。また、表示領域７だけでなく、非表示領域８にまで粒子７２を配置してもよい。これにより、電気泳動シート３の封止材６近傍だけでなく、電気泳動シート３全体において電気泳動層３１と接着層３３との層間剥離をより完全に防止することが可能となる。
【００７８】
（第４実施形態）
次に、本発明の第４実施形態について図１０を用いて説明する。図１０は、第４実施形態の電気泳動表示装置の全体構成を示す断面図である。
本実施形態では、図１０に示すように、非表示領域に設けられたダミー電極７３上に複数の樹脂粒子７４が設けられている。ダミー電極７３は、画素電極２５とともにパターン形成される。樹脂粒子７４は、エポキシ樹脂などから構成されたもので弾性を有することから、電気泳動シート３の接着層３３の周縁部を厚さ方向に圧縮させる応力を与えることが可能である。
【００７９】
本実施形態の電気泳動表示装置を製造する場合には、素子基板２上に電気泳動シート３を貼り合わせる前に、非表示領域８に形成したダミー電極７３上に複数の樹脂粒子７４を分散させておく。その後、樹脂粒子７４の上方側からこれら樹脂粒子７４に接着層３３を接触させるようにして素子基板２上に電気泳動シート３を貼り合わせる。このとき、素子基板２上に分散された樹脂粒子７４によって電気泳動シート３の周縁部にあたる接着層３３を厚さ方向に圧縮させるように加圧接着を行う。なお、本実施形態における電気泳動シート３は、その周縁部が非表示領域８にまで及ぶ大きさとされている。
【００８０】
本実施形態では、非表示領域８にダミー電極７３および樹脂粒子７４を配置するため、これらが表示に寄与することはないことから、導電性を有している必要はない。よって、ダミー電極７３の代替として、画素電極２５をパターン形成する際に用いるレジスト材料を残しておいても良い。
【００８１】
本実施形態では、樹脂のみからなる粒子７４であることから簡単且つ安価に製造することができる。
【００８２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００８３】
例えば、電気泳動シート３の接着層３３内に樹脂粒子や樹脂コア粒子を混入させておいてもよい。あるいは、接着層３３の表面の所定領域に樹脂粒子や樹脂コア粒子を貼り付けた状態で、電気泳動シート３を素子基板２上に貼り合わせるようにしてよい。
【００８４】
なお、上記実施形態では、電気泳動表示装置１を備える電気光学装置を例に挙げて説明したが、電気光学層を備える電気光学装置であれば本発明を適用することが可能である。例えば、ＴＮ（Twisted Nematic）液晶ディスプレイ、ＳＴＮ（Super ＴＮ）液晶ディスプレイ、強誘電性液晶ディスプレイ、コレステリック液晶ディスプレイ、トナーディスプレイ、ツイストボールディスプレイ等の表示装置を備える電気光学装置にも本発明を適用することができる。
【００８５】
更に、本発明の電気光学装置は、上記の電気泳動表示装置及び液晶装置に限られるものではなく、他の電気光学装置にも適用することができる。ここで、他の電気光学装置としては、例えば有機ＥＬ装置、無機ＥＬ装置、プラズマディスプレイ装置、フィールド・エミッション・ディスプレイ装置、ＬＥＤ等が挙げられる。
【００８６】
［電子機器］
次に、上記実施形態の電気泳動表示装置１を、電子機器に適用した場合について説明する。
図１１は、腕時計１０００の正面図である。腕時計１０００は、時計ケース１００２と、時計ケース１００２に連結された一対のバンド１００３とを備えている。
時計ケース１００２の正面には、上記実施形態の電気泳動表示装置１からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００８７】
図１２は電子ペーパー１１００の構成を示す斜視図である。電子ペーパー１１００は、上記実施形態の電気泳動表示装置１を表示領域１１０１に備えている。電子ペーパー１１００は可撓性を有し、従来の紙と同様の質感及び柔軟性を有する書き換え可能なシートからなる本体１１０２を備えて構成されている。
【００８８】
図１３は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００８９】
以上の腕時計１０００、電子ペーパー１１００、及び電子ノート１２００によれば、表示劣化を生じさせることなく、電気泳動表示装置の信頼性を高めることが可能な電気泳動表示装置１を搭載したので、優れた表示特性を有する電子機器１０００、１１００、１２００を得ることができる。
【００９０】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【００９１】
１…電気泳動表示装置、２…素子基板（第１基板）、３…電気泳動シート、４…表面保護基板（第２基板）、６…封止材、２５…画素電極、２５Ａ…画素電極（層厚変化部材）、２５Ｂ…他の画素電極、３１…電気泳動層、３６…接着層、７１，７３…ダミー電極、７２…粒子、７４…樹脂粒子、７２ａ…コア部、７２ｂ…導電膜、１０００…腕時計（電子機器）、１１００…電子ペーパー（電子機器）、１２００…電子ノート（電子機器）
【図１】
2011028114.tif 000003
【図２】
2011028114.tif 000004
【図３】
2011028114.tif 000005
【図４】
2011028114.tif 000006
【図５】
2011028114.tif 000007
【図６】
2011028114.tif 000008
【図７】
2011028114.tif 000009
【図８】
2011028114.tif 000010
【図９】
2011028114.tif 000011
【図１０】
2011028114.tif 000012
【図１１】
2011028114.tif 000013
【図１２】
2011028114.tif 000014
【図１３】
2011028114.tif 000015